(57)【要約】【課題】自転車のペダルとの脱着が容易になり、自転車のペダルとの連結が安定になり、ユーザの足部がペダルから外れることがなくなる自転車専用靴を提供する。【解決手段】靴面１１と、互いに反対する側に設けられる、上面１２１と、下面１２２と、を有し、前記靴面の底部と結合し、自転車のペダル２０に応じて一体成形された磁気感応片１３が少なくとも一枚設けられる靴底１２と、を含み、前記磁気感応片１３は、前記靴底の前記上面１２１と前記下面１２２との間に設けられることを特徴とする。【選択図】図１
2011255154.tif 000002
【特許請求の範囲】
【請求項１】
靴面と、
互いに反対する側に設けられる、上面と、下面と、を有し、前記靴面の底部と結合し、自転車のペダルに応じて一体成形された磁気感応片が少なくとも一枚設けられる靴底と、
を含むことを特徴とする、自転車専用靴。
【請求項２】
前記磁気感応片は、前記靴底の前記上面と前記下面との間に設けられることを特徴とする、請求項１に記載の自転車専用靴。
【請求項３】
前記自転車の前記ペダルは、主軸と、前記主軸の両側に対称にレイアウトする額縁と、を有し、前記主軸の両側と前記額縁との間に磁気吸引具がそれぞれ設けられ、前記靴底の前記下面には、前記自転車の前記ペダルの前記磁気吸引具の両側にある隙間に応じて側辺ストッパーが設けられることを特徴とする、請求項１に記載の自転車専用靴。
【請求項４】
前記靴底の下面には、更に、前記自転車の前記ペダルの前記二つの磁気吸引具の間にある隙間に応じて中央ストッパーが設けられることを特徴とする、請求項３に記載の自転車専用靴。
【請求項５】
前記靴底の前記下面には、前記自転車の前記ペダルの前記磁気吸引具の両側に応じて前記側辺ストッパーがそれぞれ設けられ、前記二つの側辺ストッパーのうちの一つの端面にガイド斜面が設けられることを特徴とする、請求項３に記載の自転車専用靴。
【請求項６】
前記靴底の内部に設けられる前記磁気感応片の周縁に貫通孔が複数設けられることを特徴とする、請求項１に記載の自転車専用靴。
【請求項７】
前記靴底の内部に設けられる前記磁気感応片が一枚ある場合には、前記磁気感応片は、前記自転車の前記各磁気吸引具に吸引され可能な寸法に成形されることを特徴とする、請求項３に記載の自転車専用靴。
【請求項８】
前記靴底の内部に設けられる前記磁気感応片が二枚ある場合には、前記磁気感応片は、前記自転車の前記ペダルの前記二つの磁気吸引具に応じて距離を置いて配列されることを特徴とする、請求項３に記載の自転車専用靴。
【請求項９】
前記靴底の内部は、更に、前端磁気感応片を含み、前記前端磁気感応片は、前記二つの磁気感応片の間の距離と同じな距離で距離を置いて配列され、前記靴底の前端と前記二つの磁気感応片との間に位置することを特徴とする、請求項８に記載の自転車専用靴。
【請求項１０】
前記靴底の下面には、二つの前端側辺ストッパーと、一つの前端中央ストッパーと、が別に設けられ、前記二つの前端側辺ストッパーと前記前端中央ストッパーとは、前記前端磁気感応片に対応する箇所に位置し、前記側辺ストッパーと前記中央ストッパーとの間の距離と同じな距離で距離を置いて配列されることを特徴とする、請求項９に記載の自転車専用靴。
【請求項１１】
前記各側辺ストッパーは前記靴底の収容溝内に位置することを特徴とする、請求項３に記載の自転車専用靴。
【発明の詳細な説明】
【技術分野】
【０００１】
本発明は、靴に関し、特に、自転車専用靴に関するものである。
【背景技術】
【０００２】
自転車は、環境を汚染せず、二酸化炭素を排出しないため、どんどん国民に愛用され、且つ自転車に乗ることもレジャー活動の一つになる。
【０００３】
しかし、ユーザが自転車のペダルを踏み込むときには、ユーザの足部とペダルとが安定に連結しないため、ユーザの足部はペダルから外れることがあり、そうすると、自転車の前進が中断する問題があった。
【０００４】
このような問題を解決するために、特許文献１の台湾特許第Ｉ２７９３５６号の「自転車のペダルとユーザの自転車専用靴との間の磁性トルクによる連接装置」が提案された。自転車のペダルとユーザの自転車専用靴との間の磁性トルクによる連接装置は、自転車のペダルに磁性子が組み付けられ、自転車専用靴に磁気感応片が設けられ、ユーザが自転車に乗っているときに、前記磁性子と前記磁気感応片との磁性による吸引力によりユーザの足部がペダルから外れることがなくなり、そして従来の係止方式を採用するようにユーザの足部がペダルから容易に脱着できない問題がなくなる。しかし、前記磁性子と前記磁気感応片との磁性による吸引力は上下方向だけあり、左右方向への吸引力がないため、ユーザの足部はペダルから左右方向にスライドする可能性があり、すなわち、ペダルにユーザの足部を安定に固定することができない。
【先行技術文献】
【特許文献】
【０００５】
【特許文献１】台湾特許第Ｉ２７９３５６号
【発明の概要】
【発明が解決しようとする課題】
【０００６】
そこで、本発明の主な目的は、自転車のペダルとの脱着が容易になり、自転車のペダルとの連結が安定になり、ユーザの足部がペダルから外れることがなくなる自転車専用靴を提供することにある。
【課題を解決するための手段】
【０００７】
本発明の自転車専用靴によると、靴面と、互いに反対する側に設けられる、上面と、下面と、を有し、前記靴面の底部と結合し、自転車のペダルに応じて一体成形された磁気感応片が少なくとも一枚設けられる靴底と、を含むことを特徴とする。
【０００８】
本発明の自転車専用靴によると、前記磁気感応片は、前記靴底の前記上面と前記下面との間に設けられることを特徴とする。
【０００９】
本発明の自転車専用靴によると、前記自転車の前記ペダルは、主軸と、前記主軸の両側に対称にレイアウトする額縁と、を有し、前記主軸の両側と前記額縁との間に磁気吸引具がそれぞれ設けられ、前記靴底の前記下面には、前記自転車の前記ペダルの前記磁気吸引具の両側にある隙間に応じて側辺ストッパーが設けられることを特徴とする。
【００１０】
本発明の自転車専用靴によると、前記靴底の下面には、更に、前記自転車の前記ペダルの前記二つの磁気吸引具の間にある隙間に応じて中央ストッパーが設けられることを特徴とする。
【００１１】
本発明の自転車専用靴によると、前記靴底の前記下面には、前記自転車の前記ペダルの前記磁気吸引具の両側に応じて前記側辺ストッパーがそれぞれ設けられ、前記二つの側辺ストッパーのうちの一つの端面にガイド斜面が設けられることを特徴とする。
【００１２】
本発明の自転車専用靴によると、前記靴底の内部に設けられる前記磁気感応片の周縁に貫通孔が複数設けられることを特徴とする。
【００１３】
本発明の自転車専用靴によると、前記靴底の内部に設けられる前記磁気感応片が一枚ある場合には、前記磁気感応片は、前記自転車の前記各磁気吸引具に吸引され可能な寸法に成形されることを特徴とする。
【００１４】
本発明の自転車専用靴によると、前記靴底の内部に設けられる前記磁気感応片が二枚ある場合には、前記磁気感応片は、前記自転車の前記ペダルの前記二つの磁気吸引具に応じて距離を置いて配列されることを特徴とする。
【００１５】
本発明の自転車専用靴によると、前記靴底の内部は、更に、前端磁気感応片を含み、前記前端磁気感応片は、前記二つの磁気感応片の間の距離と同じな距離で距離を置いて配列され、前記靴底の前端と前記二つの磁気感応片との間に位置することを特徴とする。
【００１６】
本発明の自転車専用靴によると、前記靴底の下面には、二つの前端側辺ストッパーと、一つの前端中央ストッパーと、が別に設けられ、前記二つの前端側辺ストッパーと前記前端中央ストッパーとは、前記前端磁気感応片に対応する箇所に位置し、前記側辺ストッパーと前記中央ストッパーとの間の距離と同じな距離で距離を置いて配列されることを特徴とする。
【００１７】
本発明の自転車専用靴によると、前記各側辺ストッパーは前記靴底の収容溝内に位置することを特徴とする。
【発明の効果】
【００１８】
本発明の自転車専用靴によれば、自転車のペダルとの脱着が容易になり、自転車のペダルとの連結が安定になり、ユーザの足部がペダルから外れることがなくなるという効果を有する。
【図面の簡単な説明】
【００１９】
【図１】本発明の一実施例の分解斜視図であって、自転車のペダルと結合した状態を示す。
【図２】本発明の一実施例の断面図である。
【図３】本発明の一実施例の自転車のペダルと結合した状態を示す模式図である。
【図４】本発明の靴底の内部にある磁気感応片が一枚ある場合の斜視図である。
【図５】本発明の靴底の内部にある磁気感応片が三枚ある場合の斜視図である。
【図６】本発明の靴底の下面と各ストッパーとの別の実施例を示す模式図である。
【発明を実施するための形態】
【００２０】
以下、本発明の実施の形態を図面に基づいて説明する。
まず、図１乃至図３を参照する。本発明の自転車専用靴は磁気吸引具を有するペダル２０に合せて使用可能である。自転車のペダル２０は、主軸２０１と、主軸２０１の両側に対称にレイアウトする額縁２０２と、を有し、主軸２０１の両側と額縁２０２との間に磁気吸引具２１がそれぞれ設けられる。本発明の自転車専用靴１０は、靴面１１と、靴底１２と、を含む。
【００２１】
靴底１２は、互いに反対する側に設けられる、上面１２１と、下面１２２と、を有し、靴面１１の底部と結合し、自転車のペダル２０に応じて磁気感応片１３が少なくとも一枚設けられる。磁気感応片１３は、上面１２１、靴底１２の上面１２１と下面１２２との間、又は下面１２２に設けられる。磁気感応片１３は、成形時に靴底１２と一体成形してもいいし、靴底１２に粘着してもよい。本実施例では、磁気感応片１３が靴底１２の上面１２１と下面１２２との間に設けられ、磁気感応片１３の周縁に貫通孔１３１が複数設けられる。本実施例では、磁気感応片１３は、二枚あり、自転車のペダル２０の二つの磁気吸引具２１に応じて距離を置いて配列される。また、靴底１２の下面１２２には、自転車のペダル２０の磁気吸引具２１の両側にある隙間に応じて側辺ストッパー１４が設けられる。靴底１２の下面１２２には、更に、自転車のペダル２０の二つの磁気吸引具２１の間にある隙間に応じて中央ストッパー１５が設けられる。靴底１２の下面１２２には、自転車のペダル２０の磁気吸引具２１の両側に応じて二つの側辺ストッパー１４が設けられ、二つの側辺ストッパー１４のうちの一つの端面にガイド斜面１４１が設けられる。
【００２２】
磁気感応片１３は、靴底１２を成形する前に金型に入れられて、靴底１２と直接に一体成形されるため、靴底１２を成形した後に靴底１２に組付ける必要がない。
【００２３】
次に、本発明の実施例の操作方法および効果を説明する。本発明の自転車専用靴１０に、磁気吸引具２１を有するペダル２０を合せて使用するときには、靴底１２の内部に磁気感応片１３が設けられるため、ユーザが自転車のペダル２０を踏込むことにより自転車を行進するときに、磁気による吸引力により磁気感応片１３と自転車のペダル２０の磁気吸引具２１とが結合する。一方、靴底１２の下面１２２には、自転車のペダル２０の磁気吸引具２１の両側にある隙間に応じて側辺ストッパー１４が設けられ、更に、自転車のペダル２０の二つの磁気吸引具２１の間にある隙間に応じて中央ストッパー１５が設けられるため、自転車のペダル２０の磁気吸引具２１の両側に各側辺ストッパー１４が係合され、これにより、ユーザが自転車に乗っているときに、本発明の自転車専用靴１０は自転車のペダル２０に対して左右に摺動することできず、なお、自転車のペダル２０の二つの磁気吸引具２１の間に中央ストッパー１５が係合され、これにより、ユーザが自転車に乗っているときに、本発明の自転車専用靴１０は自転車のペダル２０に対して前後に摺動することできない。そうすると、自転車専用靴１０と自転車のペダル２０との連結が安定になり、ユーザの足部がペダル２０から外れることがなくなる。
【００２４】
靴底１２の下面１２２には、自転車のペダル２０の磁気吸引具２１の両側に応じて側辺ストッパー１４がそれぞれ設けられ、二つの側辺ストッパー１４のうちの一つの端面にガイド斜面１４１が設けられるため、自転車のペダル２０から自転車専用靴１０を離脱したいときには、自転車のペダル２０に対して自転車専用靴１０を横方向に摺動することにより、自転車専用靴１０が側辺ストッパー１４のガイド斜面１４１に沿って摺動し、そうすると、自転車のペダル２０から自転車専用靴１０を快速に離脱することができる。なお、自転車専用靴１０の上記方向以外の方向への摺動が規制されるため、自転車専用靴１０と自転車のペダル２０との連結が安定になる。
【００２５】
図４を参照する。本実施例では、靴底１２の内部に設けられる磁気感応片１６が一枚あり、磁気感応片１６は、自転車の各磁気吸引具２１に吸引され可能な寸法に成形され、その効果が上記の実施例と同じであるため、説明を省略した。
【００２６】
図５を参照する。本実施例では、靴底１２の内部は、更に、前端磁気感応片１７を含む。前端磁気感応片１７は、二つの磁気感応片１３の間の距離と同じな距離で距離を置いて配列され、靴底１２の前端と二つの磁気感応片１３との間に位置する。一方、靴底１２の下面１２２には、二つの前端側辺ストッパー１８と、一つの前端中央ストッパー１９と、が別に設けられる。二つの前端側辺ストッパー１８と前端中央ストッパー１９とは、前端磁気感応片１７に対応する箇所に位置し、二つの側辺ストッパー１４と中央ストッパー１５との間の距離と同じな距離で距離を置いて配列される。これにより、靴底１２の内部には、距離を置いて配列される、前端磁気感応片１７と、二つの磁気感応片１３と、が成形される。そうすると、ユーザは、道路の状況を見て、三つの磁気感応片のうちの前二枚または後二枚（すなわち、前端磁気感応片１７と二つの磁気感応片１３のうちの前端にある磁気感応片１３、又は後ろにある二つの磁気感応片１３）を自転車のペダル２０と結合して、自転車のペダル２０を踏込むことができ、これにより、省力化することができる。
【００２７】
図６を参照する。本発明の各側辺ストッパー１４は靴底１２の収容溝１２３内に位置してもよい。そうすると、靴底１２の下面１２２と各側辺ストッパー１４との高さがほぼ同じであるため、ユーザは自転車専用靴１０を履いて快適に歩くことができる。
【産業上の利用可能性】
【００２８】
本発明は、靴に適用することができる。
【符号の説明】
【００２９】
１０：    自転車専用靴
１１：    靴面
１２：    靴底
１３：    磁気感応片
１４：    側辺ストッパー
１５：    中央ストッパー
１６：    磁気感応片
１７：    前端磁気感応片
１８：    前端側辺ストッパー
１９：    前端中央ストッパー
２０：    ペダル
２１：    磁気吸引具
１２１：  上面
１２２：  下面
１２３：  収容溝
１３１：  貫通孔
１４１：  ガイド斜面
２０１：  主軸
２０２：  額縁
【図１】
2011255154.tif 000003
【図２】
2011255154.tif 000004
【図３】
2011255154.tif 000005
【図４】
2011255154.tif 000006
【図５】
2011255154.tif 000007
【図６】
2011255154.tif 000008